(57)【特許請求の範囲】
【請求項１】
空洞共振器と前記空洞共振器に接続される組付穴とを備えるボックス本体と、
前記ボックス本体に固定され、前記組付穴に組み付けられて前記組付穴を閉鎖するスピーカ部と、
前記ボックス本体に着脱可能に接続される可動素子と、
を含む照明サウンドボックスであって、光源が前記可動素子に配置され、
前記可動素子が前記ボックス本体内の第１の固定位置を備え、前記ボックス本体は、前記可動素子が前記第１の固定位置に配置されると光拡散透過するための光透過領域を備え、前記光透過領域は前記ボックス本体の外部から見える部分を有し、前記可動素子が前記ボックス本体内の第２の固定位置に配置されると、前記光源が前記光透過領域の外を照らす照明サウンドボックス。
【請求項２】
前記可動素子が、前記ボックス本体の外側に配置され、折り畳み可能であり、前記ボックス本体に連結される折畳式カバーであり、前記可動素子が第１の締付ヒンジによって前記ボックス本体に接続され、前記折畳式カバーが前記ボックス本体に面する側に前記光源を備える請求項１に記載の照明サウンドボックス。
【請求項３】
前記光透過領域が２つの部分を含み、前記折畳式カバーが、前記折畳式カバーが折り畳まれて前記ボックス本体の外側に連結されるときの位置である前記第１の固定位置に位置するとき、一方の部分が前記光源に対応する第１の外側領域に位置し、前記光源の光が前記第１の外側領域を通過した後に前記ボックス本体と交差するとき、他方の部分が拡散透過材料から成る第２の外側領域に位置する請求項２に記載の照明サウンドボックス。
【請求項４】
前記ボックス本体の本体全体が拡散透過材料から成る請求項３に記載の照明サウンドボックス。
【請求項５】
前記ボックス本体がコネクタを備え、前記コネクタが第２の締付ヒンジによって前記ボックス本体に移動可能に接続され、前記折畳式カバーが前記第１の締付ヒンジによって前記コネクタに接続される請求項２に記載の照明サウンドボックス。
【請求項６】
前記可動素子が前記ボックス本体の内側と協働し、前記ボックス本体が表面に光窓を備え、前記可動素子が前記第１の固定位置に配置されると前記光源が前記光窓から離れ、前記可動素子が前記第２の固定位置に配置されると前記光源が前記光窓と協働して、光が前記光窓から伝播される請求項１に記載の照明サウンドボックス。
【請求項７】
前記スピーカ部が、
シャーシラックとシャーシとを含むスピーカユニットと、
ダイヤフラム本体と前記ダイヤフラム本体を支持する可撓リングとを含む受動ダイヤフラムと、
を含み、
前記組付穴が、前記ボックス本体において前記シャーシと前記受動ダイヤフラムとによって閉鎖される請求項１ないし６のいずれか一項に記載の照明サウンドボックス。
【請求項８】
組立ベースが前記ボックス本体の外側で前記組付穴に固定され、前記組立ベースが空隙と前記空隙と前記外側とを接続する音孔とを備え、前記空隙が前記スピーカ部に接続され、前記空隙が音波を反射するバッフルを備える請求項１ないし６のいずれか一項に記載の照明サウンドボックス。
【請求項９】
前記光源がＬＥＤ光源である請求項１ないし６のいずれか一項に記載の照明サウンドボックス。
【請求項１０】
前記ボックス本体が、前記スピーカ部および前記光源に電力を供給する充電式電源を備える請求項１ないし６のいずれか一項に記載の照明サウンドボックス。
【請求項１１】
前記ボックス本体が、音響信号を受信し処理する無線受信機モジュールを備える請求項１ないし６のいずれか一項に記載の照明サウンドボックス。
【請求項１２】
前記ボックス本体が、音響信号に応じて前記光源の照明効果を調節する制御モジュールを備え、前記制御モジュールが前記光源と前記スピーカ部に接続される請求項１ないし６のいずれか一項に記載の照明サウンドボックス。
【発明の詳細な説明】
【技術分野】
【０００１】
本発明は、照明効果を備えたサウンドボックスに関する。
【背景技術】
【０００２】
サウンドボックスは、ホームエレクトロニクスにおける重要なマルチメディアシステムデバイスである。サウンドボックスを適切な位置に配置して、音響出力に接続すれば、減衰された忠実な音場が達成される。電力増幅器は、各種音声の演出効果も実現する。近年、サウンドボックスは通常、マルチメディアシステムの音響部としての役割を果たし、別個に使用される。音声の波長と同様、サウンドボックスを用いてより優れた信頼性の高い共鳴効果を達成する目的で、屋内で特定の空間を占めるサウンドボックスの寸法や形状を変更することは困難である。シンプルであることが室内デザインの長期的トレンドであるため、寸法が小さく特徴の薄い装置の作製が図られている。したがって、サウンドボックスが占める空間を低減させる必要がある。しかしながら、上記の説明から分かるように、それはサウンドボックスの特徴に相反する。よって、いかにしてサウンドボックスが占める空間を減らすかは、室内デザインにおいて解決すべき技術的課題である。
【発明の概要】
【０００３】
既存のサウンドボックスの寸法が大きく、空間を占有し、室内環境を悪化させるという課題を解決するため、本発明は以下の通り、技術的な提案を行う。照明サウンドボックスは、
空洞共振器と空洞共振器に接続される組付穴を備えるボックス本体と、
ボックス本体に固定され、組付穴に組み付けられて組付穴を閉鎖するスピーカ部と、
ボックス本体に着脱可能に接続される可動素子と、
を含み、照明源が可動素子に配置される。
【０００４】
可動素子はボックス本体内の第１の固定位置を備え、ボックス本体は、可動素子が第１の固定位置に配置されると光拡散透過するための光透過領域を備え、光透過領域はボックス本体の外から見える部分を有し、可動素子がボックス本体内の第２の固定位置に配置されると、光源が光透過領域の外を照らす。
【０００５】
別の好適な実施形態では、可動素子が、ボックス本体の外側に配置され、折り畳み可能であり、ボックス本体に連結される折畳式カバーであり、可動素子が第１の締付ヒンジによってボックス本体に接続され、折畳式カバーがボックス本体に面する側に光源を備える。
【０００６】
別の好適な実施形態では、光透過領域が２つの部分を含み、折畳式カバーが、折畳式カバーが折り畳まれてボックス本体の外側に連結されるときの位置である第１の固定位置に位置するとき、一方の部分が光源に対応する第１の外側領域に位置し、光源の光が第１の外側領域を通過した後にボックス本体と交差するとき、他方の部分が拡散透過材料から成る第２の外側領域に位置する。
【０００７】
別の好適な実施形態では、ボックス本体の本体全体が拡散透過材料から成る。
【０００８】
別の好適な実施形態では、ボックス本体がコネクタを備え、コネクタが第２の締付ヒンジによってボックス本体に移動可能に接続され、折畳式カバーが第１のヒンジによってコネクタに接続される。
【０００９】
別の好適な実施形態では、可動素子がボックス本体の内側と協働し、ボックス本体が表面に光窓を備え、可動素子が第１の固定位置に配置されると光源が光窓から離れ、可動素子が第２の固定位置に配置されると光源が光窓と協働して、光が光窓から伝播される。
【００１０】
別の好適な実施形態では、スピーカ部は、
シャーシラックとシャーシとを含むスピーカユニットと、
ダイヤフラム本体とダイヤフラム本体を支持する可撓リングとを含む受動ダイヤフラムと、
を含み、
組付穴がボックス本体でシャーシと受動ダイヤフラムとによって閉鎖される。
【００１１】
組立ベースがボックス本体の外側で組付穴に固定され、組立ベースが空隙と外側とを接続する音孔とを備え、空隙がスピーカ部に接続され、空隙が音波を反射するバッフルを備える。
【００１２】
別の好適な実施形態では、光源がＬＥＤ光源である。
【００１３】
別の好適な実施形態では、ボックス本体がスピーカ部および光源に電力を供給する充電式電源を備える。
【００１４】
別の好適な実施形態では、ボックス本体が、音響信号を受信し処理する無線受信機モジュールを備える。
【００１５】
別の好適な実施形態では、ボックス本体が、音響信号に応じて光源の照明効果を調節する制御モジュールを備え、制御モジュールが光源とスピーカ部に接続される。
【００１６】
本発明の有益な効果は以下の通りである。
１．ボックス本体は多機能要素であり、以下のような機能を備える。サウンドボックスの空洞共振器、脱着可能な光源のラック、穏やかな光を伴う本体、としての役割を果たし、スポットライトと穏やかな光の両方を供することもできる。卓上照明の機能をすべて有する一方、サウンドボックスと照明の組み合わせとしても働き、サウンドボックスと照明とが占める空間を低減する。
２．ボックス本体がコネクタを備え、折畳式カバーが第１のヒンジによってコネクタに接続され、伸縮構造を形成することで空間を拡張し、折畳式カバー内の光源が部分照明とスポット照明を提供して、サウンドボックスの照明機能を向上させる。
３．可動素子がボックス本体内に配置されて、構成要素が最小限であり、シンプルで、占有空間の小さなボックス本体となる。
【図面の簡単な説明】
【００１７】
本発明を図面と実施形態を用いてさらに説明する。
【図１】本発明の第１実施形態の側面図である。
【図２】組立ベース４０の近傍の図１の拡大部分側面図である。
【図３】第２実施形態の側面図である。
【図４】別の状態の第２実施形態の部分側面図である。
【図５】第３実施形態の側面図である。
【図６】第３実施形態の別の側面図である。
【図７】第４実施形態の側面図である。
【図８】可動素子の可動トレイ２４が第１の固定位置に配置されるときの第５実施形態の側面図である。
【図９】可動トレイ２４が第２の固定位置に配置されるときの第５実施形態の側面図である。
【発明を実施するための形態】
【００１８】
第１実施形態
第１実施形態の側面図である図１および２を参照する。
【００１９】
第１実施形態のボックス本体１０は球状であり、本体全体は、たとえばＰＭＭＡやＰＣなどの光拡散剤から成る光透過プラスチックである分散および拡散材料から作製される。ボックス本体１０は、空洞共振器と空洞共振器に接続される組付穴１９とを備える。すなわち、空洞共振器は、組付穴１９を除いてボックス本体１０の外部と分離される。
【００２０】
本実施形態の可動素子は、ボックス本体１０の外側に配置される折畳式カバー２０である。折畳式カバー２０の外形はボックス本体１０の外形と同一である。折畳式カバー２０は折り畳み可能であり、ボックス本体１０に連結され、第１のヒンジ２１を締めることによってボックス本体１０に固着される。図１では、参照符号２０’が、第２の固定位置において展開されたときの折畳式カバー２０である。光源２３（および展開状態での光源２３’）は、ボックス本体１０に面する折畳式カバー２０の片側に組み付けられる。
【００２１】
スピーカ部がボックス本体１０の下部に配置される。スピーカ部はスピーカユニット３１と受動ダイヤフラム３２とを含む。スピーカ部はボックス本体１０に固定され、組付穴１９を閉鎖する。スピーカユニット３１は組付穴１９に装填される。すなわち、この組付位置では、ボックス本体１０内の空洞共振器は外部と分離され、スピーカユニットと共鳴する。
【００２２】
ボックス本体１０は、第１の外側領域１５と第２の外側領域１６とを含む光透過領域を備える。図１に示すように折畳式カバー２０が折り畳まれてボックス本体１０に連結され、第１の固定位置に位置するとき、光源２３の光は第１の外側領域１５まで伝播することができる。ボックス本体１０の本体全体は光分散材料から成るため、光は第１の外側領域１５を透過し、空洞共振器を通って第２の外側領域１６に到達し、第２の外側領域１６の外へ伝播して、ボックス本体１０の外側から見える部分を形成する。
【００２３】
図示されるように、ボックス本体１０は多機能要素である。折畳式カバー２０が展開されて第２の固定位置に位置すると、光源２３を第１のヒンジ２１によって調節して、光点を光透過領域の外の適切な位置に置くことができる。折畳式カバー２０が展開されてボックス本体１０に連結され、第１の固定位置に配置されると、光源２３
【００２４】
本実施形態には他にも特徴がある。スピーカ部はスピーカユニット３１と受動ダイヤフラム３２を含む。スピーカユニット３１はシャーシラックとシャーシを含む。受動ダイヤフラム３２はダイヤフラム本体３５とダイヤフラム本体を支持する可撓リング３６とを含む。シャーシと受動ダイヤフラム３２は、組付穴１９内のボックス本体１０を閉鎖する。よって、この提案では音響効果が高まる。受動ダイヤフラム３２は共鳴部としての役割を果たして、サウンドボックスの基本効果をさらに高めることができる。配置し易くするため、組立ベース４０はボックス本体１０の組付穴１９に固定される。組立ベース４０は空隙４３と、空隙４３および外部空間に接続される音孔４２とを有する。空隙４３はスピーカ部に接続され、スピーカ部の音波を音孔４２の外へ反射させるバッフル４１が設けられる。この形状により、装置全体を床またはテーブルに置くことができる。
【００２５】
第２の実施形態：
図３および４は本発明の第２実施形態の構造を示す。
【００２６】
第２実施形態のボックス本体１０は第１実施形態のボックス本体１０と類似する。ボックス本体１０の本体全体は光拡散透過材料から成る。本実施形態の組立ベース４０とスピーカユニットは第１実施形態と同様である。さらに、バッフル４１、空隙４１、受動ダイヤフラム３２、スピーカユニット３１が設けられる。すなわち、第２実施形態のサウンドボックスの構造は第１実施形態のサウンドボックスの構造と類似する。違いは、本実施形態では複数の折畳式カバー２０とそれに対応する光源２３とが設けられる点である。よって、図４に示すように、本実施形態の可動素子は折畳式カバー２０で形成される。これらの折畳式カバー２０は円形に配置され、花弁のように開放する。図３に示すように第１の固定位置に配置されると、折畳式カバー２０は折り畳まれて、ボックス本体１０に連結されるため、光源２３の光がボックス本体１０内へと伝播してボックス本体１０の光透過領域を穏やかな光で照らす。図４に示すように第２の固定位置に配置されると、折畳式カバー２０は開放されて、光源２３の光がボックス本体１０の外部領域に伝播して部分的な集光を形成する。この実施形態は吊下げ型照明サウンドボックスとして供することができる。
【００２７】
第３実施形態：
図５および６は第３実施形態の構造を示す。
【００２８】
本実施形態のボックス本体１０は円柱状であり、作業面に置かれる。同一の断面の折畳式カバー２０がボックス本体１０の上部に配置される。折畳式カバー２０は可動素子であり、第１のヒンジ２１によって参照符号２０’および２３’で示されるような第２の固定位置まで、内部に固定された光源２３とともに展開させることができる。折畳式カバー２０がボックス本体１０に折り畳まれ、第１の固定位置に配置されると、光源２３の光は本実施形態では透明材料から成る第１の外側領域１５へと伝播して、最大の透過効率を達成する。光が第１の外側領域１５を通過する間、その大半は、光拡散材料から成る第２の外側領域１６へと伝播する。最後に、第２の外側領域１６は、ボックス本体１０の外側から直接見ることができる。第２の外側領域１６は全体にわたって穏やかな照明効果を発揮する。折畳式カバー２０が開放されると、光源２３’を調節して特定の領域を照らすことができる。
【００２９】
図６も参照すると、ボックス本体１０には、第２の締付ヒンジ２２によってボックス本体１０に脱着可能に接続されるコネクタ１１が設けられている。折畳式カバー２０は第１の締付ヒンジ２１によってコネクタ１１に接続することができる。この折畳式カバー２０によって伸縮可能な構造が形成される。折畳式カバー２０内の光源２３は、局所的なスポットライト効果を発揮して、サウンドボックスの照明機能を強化することができる。寸法と熱を低減するため、光源２３はＬＥＤ光源である。
【００３０】
第４実施形態：
図７は本発明の第４実施形態の側面図である。
【００３１】
本実施形態は第３実施形態に類似する。可動素子である折畳式カバー２０は第１のヒンジ２１によって脱着可能にコネクタ１１に接続され、コネクタ１１は第２のヒンジによって脱着可能にボックス本体１０に接続される。
【００３２】
本実施形態では、折畳式カバー２０の底面に複数のＬＥＤ光源２３が固定される。ボックス本体１０には２つの組付穴１９が設けられる。スピーカユニット３１と受動ダイヤフラム３２は別々に２つの組付穴１９に固定される。ベースの指向性が弱いため、補整のためにスピーカユニット３１とは異なる位置に受動ダイヤフラム３２を組み付けて、装置全体の複雑さを緩和することができる。
【００３３】
第５実施形態：
図８および９は本発明の第５実施形態を示す。
【００３４】
本実施形態のボックス本体１０とスピーカ部は第２実施形態のものと類似する。本実施形態は吊下げ型ランプとすることができる。ボックス本体１０の本体全体を、第２実施形態と同様に光拡散透過材料から作製することができる。組立ベース４０とスピーカユニットは第２実施形態と同様である。バッフル４１、空隙４３、受動ダイヤフラム３２、スピーカユニット３１も設けられる。
【００３５】
本実施形態の可動素子は可動トレイ２４である。可動トレイ２４はボックス本体１０の内部に連結される。光窓１７はボックス本体１０の表面に配置される。図８に示すように、可動トレイ２４は第１の固定位置に配置される。光源２３は光窓１７から離れており、光源２３の光２７は大部分がボックス本体の外へと拡散され、穏やかな照明効果を発揮する。図９では、第２実施形態において可動トレイ２４が配置される。光源２３は光窓１７に連結されて、光を光窓１７から外に直接伝播させるが、ボックス本体１０の他の光透過領域からは透過させない。これにより、光源２３はスポットライト効果を発揮する。可動トレイ２４は隠れた可動素子であるため、装置全体の外部構造がシンプルになり、占有空間も低減される。
【００３６】
本発明を、発明を実行するための好適な実施形態に関連して説明したが、当業者にとっては、添付の請求項に定義される発明の範囲を逸脱せずに様々な修正や変更を加えることができることは自明である。
【図１】
0006261600.tif 000002
【図２】
0006261600.tif 000003
【図３】
0006261600.tif 000004
【図４】
0006261600.tif 000005
【図５】
0006261600.tif 000006
【図６】
0006261600.tif 000007
【図７】
0006261600.tif 000008
【図８】
0006261600.tif 000009
【図９】
0006261600.tif 000010